(57)【要約】  【課題】  浴室の壁面の状況に合わせて縦型と横型のいずれの配置でも本体を壁掛け設置することができる金属イオン水発生シャワー器を提供する。  【解決手段】  本体１と、該本体１内に形成された電池室５及び電装室１１と、前記電装室１１内に配置され前記電池室５内の電池４と電気的に接続される回路基板１０と、前記本体１内部に設置され前記回路基板１０に電気的に接続される金属イオン溶出ユニット３９と、一端が前記金属イオン溶出ユニット３９の流入口４１に取付けられるとともに他端が水道水を供給する給水ホース３５に接続される給水継手３３と、一端が前記金属イオン溶出ユニット３９の流出口４２に取付けられるとともに他端がシャワーヘッドを有する排水ホースに接続される排水継手３４とを備え、前記本体１を前記浴室の壁面に対して縦型若しくは横型の配置で装着可能な縦横両用装着手段（第１プレート１９及び第２プレート５３）を備えたことを特徴とする。【選択図】      図１
2006055459.tif 000002
【特許請求の範囲】
【請求項１】
本体と、該本体内に形成された電池室及び電装室と、前記電装室内に配置され前記電池室内の電池と電気的に接続される回路基板と、前記本体内部に設置され前記回路基板に電気的に接続される金属イオン溶出ユニットと、一端が前記金属イオン溶出ユニットの流入口に取付けられるとともに他端が水道水を供給する給水ホースに接続される給水継手と、一端が前記金属イオン溶出ユニットの流出口に取付けられるとともに他端がシャワーヘッドを有する排水ホースに接続される排水継手とを備え、
前記本体を前記浴室の壁面に対して縦型若しくは横型の配置で装着可能な縦横両用装着手段を備えたことを特徴とする金属イオン水発生シャワー器。
【請求項２】
本体背面に取付けられる第１プレートと、浴室の壁面に装着される第２プレートとを備え、第１，第２プレート間に設けられた係合機構によって前記本体が前記浴室の壁面に対して装着されることを特徴とする請求項１に記載の金属イオン水発生シャワー器。
【請求項３】
金属イオン溶出ユニットを本体内に形成された金属イオン溶出ユニット室内に設置し、２つの第１プレートを、本体背面に着脱自在に取付けられる電池室の蓋と、本体背面に着脱自在に取付けられる金属イオン溶出ユニット室の蓋とにそれぞれ取付けたことを特徴とする請求項２に記載の金属イオン水発生シャワー器。
【請求項４】
本体の下部及び両側部に前記金属イオン溶出ユニット室の内外を連通させる穴を設けたことを特徴とする請求項１〜３のいずれかに記載の金属イオン水発生シャワー器。
【請求項５】
金属イオン溶出ユニットの一対の金属電極端子間の絶縁距離を確保するためのリブを設けたことを特徴とする請求項１〜４のいずれかに記載の金属イオン水発生シャワー器。
【請求項６】
本体上部にＵ字型の把手を設けたことを特徴とする請求項１〜５のいずれかに記載の金属イオン水発生シャワー器。
【請求項７】
本体下部にＵ字型のタオルハンガーを設けたことを特徴とする請求項１〜６のいずれかに記載の金属イオン水発生シャワー器。
【発明の詳細な説明】
【技術分野】
【０００１】
本発明は、銀イオン等を含む金属イオン水を発生するシャワー器に関するものである。
【背景技術】
【０００２】
従来、衣類に抗菌性を持たせる付加機能を有した銀イオン水生成機能付き洗濯機が開示されている（例えば、特許文献１及び２参照）。この洗濯機は、銀イオン溶出ユニットで生成させた銀イオンを含んだ水道水（以下、「銀イオン水」という。）を、衣類洗濯中の洗濯槽内に注入し、衣類の洗濯とともに銀イオンの作用によって衣類を抗菌処理するものである。銀イオンの抗菌メカニズムは広く知られており、図８に示す通りである。洗濯物が乾燥するまでの生乾き時の細菌の増殖を抑え、衣類が発する生乾きの臭いを抑制するだけでなく、洗濯乾燥後、銀イオンが衣類にコーティングされているので、着用中の細菌の増殖を抑え、衣類が発する汗臭や足の臭いを抑制することができる。
【０００３】
このように銀イオン溶出ユニットを本体に内蔵したタイプの洗濯機は、洗濯機本来の洗濯機能と衣類の抗菌機能とが連動しているため、機能の面でも優れ、また本体サイズも従来の洗濯機とほとんど変わらないため、設置スペースの面でも優れたものではあるが、需用者にとっては洗濯機自体の買い換えを余儀なくされ、出費が大きいという問題があった。
【０００４】
そこで、従来の洗濯機にも簡単に取付けることのできるよう、汎用性に富んだ銀イオン水発生器が提供されている。図９は、従来の銀イオン水発生器の一例の斜視図であり、図１０は、その銀イオン水発生器の銀イオン溶出ユニットの断面図である。
【０００５】
以下、この従来の銀イオン水発生器について図９及び図１０を参照して説明する。１５１は、銀イオン水発生器１５０の回路基板や電池を内蔵したコントローラであり、回転スイッチ１５２の操作によって電源をＯＮ、ＯＦＦされるとともに、銀イオンの溶出量を制御するものである。１５４は、銀イオン溶出ユニット１５３の動作状態を表示する発光ダイオード（ＬＥＤ）である。
【０００６】
銀イオン溶出ユニット１５３は、ケーブル１６４によりコントローラ１５１と電気的に接続される。銀イオン溶出ユニット１５３は、排水継手１５６を有する銀イオン溶出管１５５と、銀イオン溶出管１５５の入水口１５７に取付けられた連結管１５８と、連結管１５８の入水口１５９に取付けられた継手１６０と、継手１６０に金具１６１によって接続されたホース１６２と、ホース１６２の上端に取付けられた給水継手１６３とを備える。給水継手１６３は、水道蛇口に直結され、排水継手１５６は洗濯機の給水ホースに接続される。
【０００７】
銀イオン溶出管１５５内部には、銀からなる一対の電極プレート１５７，１５８が対峙して設けられている。各電極プレート１５７，１５８は、コントローラ１５１内部の回路基板にケーブル１６４内部を通るリード線により接続される。さらに、銀イオン溶出管１５５内部には、スプリング１６５によって入水口１５７側に付勢されたフロート１６６が設けられている。フロート１６６にはマグネットが取り付けられており、銀イオン溶出管１５５の外面に設けられたホールセンサ１６７とともに、水流センサーを構成している。
【０００８】
この構成で、コントローラ１５１の回転スイッチ１５２を入れ、洗濯機を運転すると、洗濯槽への給水時に水流センサーの検知によって銀イオン溶出ユニット１５３が動作し、電極プレート１５７，１５８に所定電流が流れ、陽極側から銀イオンが溶出し、銀イオン水が洗濯槽内に供給される。これにより、銀イオン水で衣類が洗濯されるため、銀イオンを衣類にコーティングすることができる。
【０００９】
ところで、夏場は、人体は汗等で皮膚上の常存菌による強い臭いを発する。そのため、銀イオンがコーティングされた肌着を着ても、皮膚上の常存菌を充分に抑制することはできず、強い体臭は抑えることはできない。これに対し、夏場の体臭をカットして、快適な生活を送りたいという要望が強いことから、上記の銀イオン水発生器１５０をシャワー器に応用することが検討されている。
【００１０】
しかしながら、高湿度の浴室内で銀イオン水発生器を使用する上では、高い防水性能が要求されることは勿論、場所を取らずにカーテンレール等に容易に吊り下げられる等の浴室での使用に適した利便性を備えなければ実使用には耐えない。従って、上記の銀イオン水発生器１５０をそのまま浴室に設置するという訳にはいかない。また、夏場は、海水浴場等の屋外でもシャワーを浴びる機会が多いが、上記の銀イオン水発生器１５０では、コントローラ１５１と銀イオン溶出ユニット１５３とが別体となっており、ケーブル１６４が絡んだりして持ち運ぶには不便であった。
【００１１】
そこで、本発明者らは鋭意研究を進め、このような点を改善した金属イオン水発生シャワー器を発明している（特願２００４−１１１７００号）。図１１に示すように、この従来の金属イオン水発生シャワー器２００は、本体２０１上部にＵ字型の把手２２０を備え、この把手２２０を、浴室のカーテンレール２５２等に本体２０１を吊り下げるためのフックとして使用することができるようにしたものである。
【特許文献１】特開２００４−２４５９７号公報
【特許文献２】特開２００１−２７６４８４号公報
【発明の開示】
【発明が解決しようとする課題】
【００１２】
しかしながら、上記従来の金属イオン水発生シャワー器２００の構成では、本体２０１はカーテンレール２５２に単に吊り下げられているだけで固定されていないので、その状態で本体２０１の操作を行おうとすると、本体２０１が揺れたり、カーテンレール２５２に沿って移動したりしやすく不安定で、使用者自身の手で本体２０１を支える必要があり、使い勝手が悪かった。
【００１３】
また、上記出願明細書には、図１２に示すように、浴室の壁等に、特殊なフック２５６を有する装着具２５７を設けるとともに、本体２０１の背面に設けた凹所２５５を形成することにより、本体２０１を壁掛けにして設置できるようにした使用態様も記載されている。
【００１４】
しかしながら、細長の本体２０１を縦型の配置でしか壁掛けできないため、設置の自由度が低かった。換言すれば、使用者が本体操作や見栄えにおいて最適と考える壁掛け位置であっても、その上下に鏡や把手等の障害物が存在する場合は、その位置に本体２０１を設置することができず、位置をずらすか異なる壁面に設置する等して妥協せざるを得ないという問題があった。
【課題を解決するための手段】
【００１５】
上記目的を達成するために本発明は、本体と、該本体内に形成された電池室及び電装室と、前記電装室内に配置され前記電池室内の電池と電気的に接続される回路基板と、前記本体内部に設置され前記回路基板に電気的に接続される金属イオン溶出ユニットと、一端が前記金属イオン溶出ユニットの流入口に取付けられるとともに他端が水道水を供給する給水ホースに接続される給水継手と、一端が前記金属イオン溶出ユニットの流出口に取付けられるとともに他端がシャワーヘッドを有する排水ホースに接続される排水継手とを備え、前記本体を前記浴室の壁面に対して縦型若しくは横型の配置で装着可能な縦横両用装着手段を備えたことを特徴とするものである。
【００１６】
この構成によると、金属イオン水発生シャワー器を浴室に壁掛けで装着する際、浴室の壁面に設置されている鏡や把手等を避けて、その状況に合わせて縦型と横型のどちらかの本体配置を自由に選択して設置することができる。
【００１７】
具体的には、本体背面に取付けられる第１プレートと、浴室の壁面に装着される第２プレートとを備え、第１，第２プレート間に設けられた係合機構によって前記本体が前記浴室の壁面に対して装着されるものである。
【００１８】
この場合、金属イオン溶出ユニットを本体内に形成された金属イオン溶出ユニット室内に設置し、２つの第１プレートを、本体背面に着脱自在に取付けられる電池室の蓋と、本体背面に着脱自在に取付けられる金属イオン溶出ユニット室の蓋とにそれぞれ取付ける構造を採用することができる。
【００１９】
この構造によると、金属電極等の消耗品の交換を金属イオン溶出ユニット室の蓋を開けることにより該ユニット単位で簡単に行えるようになる。また、２つの第１プレートのそれぞれを本体背面に着脱可能な電池室の蓋及び金属イオン溶出ユニット室の蓋に設けることができ、製品の前パネル部分のみを縦型及び横型のそれぞれに対応したものを用意しておけば、それ以外の部品の共用化が図られ、製品コストの削減に寄与することができる。
【００２０】
また、本体の下部及び両側部に前記金属イオン溶出ユニット室の内外を連通させる穴を設けると、湯気や空気の排気口及び水滴の排水口を金属イオン溶出ユニット室に形成することができる。従って、金属イオン溶出ユニット室内に侵入した湯気や空気が排気口を通じて排気され金属イオン溶出ユニット室内に生ずる結露を抑制することができるとともに、金属イオン溶出ユニット室内に溜まった水が排水口から排水され金属イオン溶出ユニット室内に生じた結露を解消することができる。
【００２１】
また、金属イオン溶出ユニットの一対の金属電極端子間の絶縁距離を確保するためのリブを設けると、金属イオン溶出ユニット室内に結露が生じた場合でも両端子間の短絡や絶縁劣化を防ぐことができる。
【００２２】
なお、本体上部にＵ字型の把手を設けたり、本体下部にＵ字型のタオルハンガーを設けたりすることで、金属イオン水発生シャワー器の利便性を高めることができる。
【発明の効果】
【００２３】
本発明によると、浴室の壁面の状況に合わせて縦型と横型のいずれの配置でも本体を壁掛け設置することができる使い勝手のよい金属イオン水発生シャワー器を提供することができる。
【発明を実施するための最良の形態】
【００２４】
以下、本発明を実施するための最良の形態について図面を参照して説明する。図１は、本発明に係る金属イオン水発生シャワー器の外観の一部分を分解して示す斜視図である。また、図２は、その金属イオン水発生シャワー器の側断面図（ａ）、ｘ−ｘ線断面図（ｂ）、ｙ−ｙ線断面図（ｃ）、ｚ−ｚ線断面図（ｄ）及びｗ−ｗ線断面図（ｅ）である。
【００２５】
金属イオン水発生シャワー器１００の本体１は、図１及び図２（ａ）に示すように、長方形の前パネル２及び後ケース３からなり、前パネル２の前壁内面の数カ所に凸設されたボス２ａに対して後ケース３をネジ止めして形成されるものである。
【００２６】
図３は、後ケースの一部を切断して示す斜視図である。図２（ａ）及び図３に示すように、後ケース３の幅方向（図３のＷの方向）の中央部であって、高さ方向（Ｈの方向）の略中央から上部にかけて凹所が形成されており、該凹所は４本の電池４を収容する電池室５となっている。電池室５の背面は、電池４を着脱する電池着脱口５ａとなっており、該電池着脱口５ａに蓋６を取り付けて電池室５内を密閉している。
【００２７】
図１に示すように、蓋６は、その下端に突設された蓋爪６ａを後ケース３の電池室５下部に設けられた凹部５ｋに差し込んで、開閉が簡単なコインねじ１６で蓋６の上端に設けられたねじ穴６ｂ及び後ケース３内の上端部に固定されているナット１８にねじ込まれて取り付けられている。蓋６の背面には、所定の深さを有する略正菱形の凹所１７が設けられており、この凹所１７に略正菱形の壁掛けプレート（第１プレート）１９を取り付けている。菱形の頂点に当たる凹所１７の平面部の上下端及び左右端には、ねじホルダー１７ａ及び１７ｂがそれぞれ形成されている。
【００２８】
図４に示すように、壁掛けプレート１９は、その周囲壁１９ａと同じ高さで縦に延びて周囲壁１９ａに繋がる２本の補強リブ１９ｂを有しており、２本の補強リブ１９ｂ間を２つのアーチ状のリブ１９ｃで橋渡して、リブ１９ｂ，１９ｃで小判型に囲まれた空間に凹部２０を形成している。この凹部２０は壁掛けプレート１９の背面に設けた略小判型の懸架穴１９ｄを介して外部と連通している。懸架穴１９ｄの輪郭は、凹部２０の形状とおおむね一致しているが、懸架穴１９ｄの上３／１程度の部分は凹部２０の形状よりも若干小さな幅及アーチ半径となっており、その部分の周囲に凹部２０の係止壁２０ａが形成されている。菱形の頂点に当たる壁掛けプレート１９の平面部の上下端には、ねじ穴１９ｅが形成されている。壁掛けプレート１９は、図１に示すように、ねじ２１で壁掛けプレート１９に設けられたねじ穴１９ｅ及び蓋６の凹所１７に設けられたねじホルダー１７ａ又は１７ｂにねじ込まれて取り付けられる。このとき、本体１を浴室の壁面に縦型と横型のいずれで壁掛け設置するかによって懸架穴１９ｄの配向を変えて壁掛けプレート１９を取付けることになる。
【００２９】
すなわち、本体１を縦にして壁掛けするときは、図１のように、懸架穴１９ｄの長手方向が本体１の長手方向と一致し、かつ、係止壁２０ａが懸架穴１９ｄの上側に位置する向きで、２つの壁掛けプレート１９は蓋６の凹所１７及び蓋２３の凹所２４にそれぞれ取り付けられる。このとき、壁掛けプレート１９を固定するねじ２１は凹所１７の上下のねじホルダー１７ａに対してねじ込まれる。他方、本体１を横にして壁掛けするときは、壁掛けプレート１９を図１の矢印Ａように９０°回転し、懸架穴１９ｄの長手方向が本体１の短手方向と一致し、かつ、係止壁２０ａが懸架穴１９ｄの（本体１正面から見て）右側に位置する向きで、２つの壁掛けプレート１９が蓋６の凹所１７及び蓋２３の凹所２４にそれぞれ取り付けられる。このとき、壁掛けプレート１９を固定するねじ２１は凹所１７の左右のねじホルダー１７ｂに対してねじ込まれる。壁掛けの向きを縦から横に変更したいとき、又はその逆のときは、壁掛けプレート１９を一度取り外して向きを変えて付け直すことになる。
【００３０】
なお、図５に示すように、壁掛けプレート１９として、十文字の懸架穴１９ｄ及び凹部２０を備えたものを使用すると、壁掛けプレート１９の付け直しの手間が省かれる。
【００３１】
図２（ｂ）及び図３に示すように、後ケース３の背壁内面には、電池室５の下部に、該電池室５の幅と同程度の幅の矩形を囲むように、隔壁状のリブ７が凸設されている。また、リブ７の前端面７ｂには、該リブ７の全長にわたって一条の溝７ｃが設けられている。
【００３２】
図３に示すように、電池室５の前壁５ｂ外面の左右側縁部には、所定の幅で段面５ｆが形成されている（Ｐ部拡大図参照）。この段面５ｆは、前記リブ７の前端面７ｂと面一となっている。また、段面５ｆには、所定深さの一条の溝５ｇが高さ方向に延びて設けられている。この溝５ｇは、前記リブ７の溝７ｃと繋がっており、全体として略Ｕ字状の一条の溝１３が後ケース３の前面側に形成される。そして、この溝１３に、該溝１３の輪郭と同形状であって、厚みが溝幅と略等しく、かつ、奥行きが溝深さよりも長いシール部材８を差し込んで取り付けている。シール部材８は樹脂やゴムから成り、その上端面は後ケース３の上壁まで達してその内面に当接している（図２（ｂ）参照）。
【００３３】
図２（ｂ）及び図３に示すように、後ケース３の幅方向（図３のＷの方向）の略全域であって、リブ７の下端縁から高さ方向（Ｈの方向）の下部にかけて凹所が形成されており、該凹所は後述する金属イオン溶出ユニット３９が設置される金属イオン溶出ユニット室２２となっている。金属イオン溶出ユニット室２２の背面は、金属イオン溶出ユニット３９を交換するための開口２２ａとなっており、該開口２２ａに蓋２３を取り付けて金属イオン溶出ユニット室２２内を密閉している。蓋２３は、その上端に突設された蓋爪２３ａを後ケース３の金属イオン溶出ユニット室２２上部に設けられた凹部２２ｂに差し込んで、開閉が簡単なコインねじ１６で蓋２３の上端に設けられたねじ穴２３ｂ及び後ケース３内の下端部に固定されているナット１８にねじ込まれて取り付けられている。蓋２３の下壁には、蓋２３の開口側縁部から奥方へ延びて、２つのスリット穴２３ｃが間隔を隔てて設けられている。また、蓋２３の側壁には、パイプを挟持するために半円弧状に切り欠かれた部分からさらに奥方へ切り欠き穴２３ｄが設けられている。
【００３４】
蓋２３の背面には、所定の深さを有する略正菱形の凹所２４が設けられており、この凹所２４に上記と同様の略正菱形の壁掛けプレート（第１プレート）１９を取り付けている。菱形の頂点に当たる凹所２４の平面部の上下端及び左右端には、ねじホルダー２４ａ及び２４ｂがそれぞれ形成されている。壁掛けプレート１９は、ねじ２１で壁掛けプレート１９に設けられたねじ穴１９ｅ及び蓋２３の凹所２４に設けられたねじホルダー２４ａにねじ込まれて取り付けられている。
【００３５】
シール部材８の前端面８ａは、図２（ａ）及び図２（ｃ）に示すように、前パネル２の前壁の内面に当接するようになっている。従って、前パネル２、後ケース３、リブ７及びシール部材８によって本体１内部に気密にシールされた空間９が囲まれる。該空間９の下部、すなわち、該空間９のうち電池室５の底壁５ｃよりも下側は、回路基板１０等の電装部品が搭載される電装室１１となっている。
【００３６】
図２（ａ）及び図２（ｂ）において、符号１２は皿状部材であり、該皿状部材１２の背壁には縦方向の２カ所に回路基板１０の装着用のボス１２ａが設けられ、側壁外面の３カ所にはネジ穴を有するフランジ１２ｂが設けられている。皿状部材１２は、前パネル２と後ケース３の合体前に、ボス１２ａに回路基板１０をネジ止めした後、前記フランジ１２ｂを後ケース３の後壁内面に設けられたボス（図示せず）に対してネジ止めすることにより後ケース３に取り付けられる。これにより、後ケース３に電池室５、電装室１１等の電気関係部品を集約され、配線が少なくて済むだけでなく、前パネル２と後ケース３との合体時の配線の噛み込みを避け易いなど、組立性が良いものとなる。そうしておいて、前パネル２と後ケース３を合体させると、図示のごとく、皿状部材１２は電装室１１内に配置され、リブ７及びシール部材８によって、回路基板１０は電装室１１の外側からシールされる。なお、シール部材８は、本体１を補強する役割も果たしており、これにより前パネル２が外側から製品奥行き方向（図３のＤの方向）に強く押された場合でも、前パネル２が内側へ変形するのを防止することができる。
【００３７】
浴室内の湯気は、図２（ｂ）及び図２（ｄ）の矢印のように、金属イオン溶出ユニット室２２の蓋２３に設けたスリット穴２３ｃから本体１内に入り込み、金属イオン溶出ユニット室２２内を通過して、切り欠き２３ｄから本体１外部へ抜け出す。このため、後述する銀イオン溶出ユニット３９に生ずる結露等を防ぐことができる。また、電装室１１内部は気密にシールされているので、湯気が電装室１１内に浸入する虞はなく、回路基板１０を湿気から保護し、絶縁劣化を防止することができる。金属イオン溶出ユニット室２２内に溜まった水滴は、スリット穴２３ｃ又は切り欠き２３ｄから本体１外へ排出される。
【００３８】
図２（ａ）及び図２（ｂ）に示すように、回路基板１０には、２つのタクトスイッチ２７と３つの発光ダイオード（ＬＥＤ）２８が設けられている。２つのタクトスイッチ２７は、前パネル２の前壁に設けられた銀イオン濃度切換えボタン３０及び電源ボタン３１に対応して配置され、３つの発光ダイオード２８は、前パネル２の前壁に小さな丸窓として設けられた光透過性の３つの銀イオン濃度表示ランプ３２に対応して配置されている。回路基板１０は、電池室５内に設置された電池４と電気的に接続されている。
【００３９】
図２（ａ）、図２（ｃ）及び図３に示すように、電池室５は、電池着脱口５ａの近傍において、電池室５の底壁５ｃ、左右側壁５ｄ及び天井壁５ｅの内面に、所定の幅で電池着脱口５ａと向かい合う段面５ｊが形成されている（図３のＱ部拡大図参照）。また、段面５ｊには、該段面５ｊに沿って矩形を縁取るように、所定深さの溝１４が設けられている。そして、この溝１４に、該溝１４の輪郭と同形状であって、厚みが溝幅と略等しく、かつ、奥行きが溝深さよりも長いシール部材１５を差し込んで取り付けている。シール部材１５の材質は、上記シール部材８と同じである。
【００４０】
このシール部材１５の後端面１５ａは、図２（ａ）及び図２（ｃ）に示すように、蓋６の内面に当接するようになっている。従って、電池室５内部はシール部材１５によって気密にシールされる。
【００４１】
図１に示すように、本体１上部には、該本体１を手提げして持ち運ぶためのＵ字状の把手２５が設けられている。この把手２５は、電池４や金属イオン溶出ユニット３９の交換の際に本体１を保持しておくために使用することもできる。本体１下部には、タオル等を引っかけるためのＵ字状のハンガー２６が設けられている。
【００４２】
後ケース３の側壁には、電装室１１の下方において、右側壁に給水継手３３、左側壁に排水継手３４が挿着されており、これら給水継手３３と排水継手３４の間に後述する銀イオン溶出ユニット３９が装着されている。給水継手３３の内部には、流水中に含まれる小石等の通過を防ぐフィルター３５が設けられている。本体１外へ突出する給水継手３３の水の流入口部３３０は、周囲にホース取付け用のネジ部３３０ａを有する。同様に、排水継手３４の水の流出口部３４０も、周囲にホース取付け用のネジ部３４０ａを有する。給水継手３３の流入口部３３０には、水道のシャワー用給水栓に取り付けられる図示しない給水ホースの下流端に設けた給水継手が螺合され、排水継手３４の流出口部３４０には、シャワーヘッドを有する図示しない排水ホース（シャワー側ホース）の上流端に設けた排水継手が螺合される。従って、金属イオン水発生シャワー器１００を浴室のシャワー設備等に簡単に設置し、取り外すことができる。
【００４３】
図２（ａ）、図２（ｂ）及び図２（ｄ）に示すように、銀イオン溶出ユニット３９は、合成樹脂等の絶縁材料からなるケース４０を有する。ケース４０は、一方の端に水の流入口４１、他方の端に水の流出口４２を備える。ケース４０の内部には、銀からなる２枚の板状電極４３，４４が互いに略平行する形で、且つ所定間隔を置いて配置され、該電極４３，４４の上流側にスプリング４５の付勢力によって流入口４１を塞ぐフロート４６が設けられている。なお、電極４３，４４の材料は銀に限らず、抗菌性を有する金属イオンのもとになる金属であれば、銅、亜鉛等でもよい。ケース４０の下部には、流入口４１側に小部屋４７が区画され、該小部屋４７内にホールセンサ（図示せず）を備えたセンサー回路４８が設置されている。フロート４６はマグネット（図示せず）を備え、給水継手３３から流入する流水の水勢が増すと水圧によってフロート４６が付勢に抗して押され、マグネットがホールセンサを作動させ、回路基板１０上のスイッチング回路（図示せず）をオンする。
【００４４】
図２（ｄ）に示すように、電極４３，４４には各々一端に金属端子４９，５０がろう付け接続されている。金属イオン溶出ユニット３９は、ケース４０内に電極４３，４４がインサート成形された一体の部品からなる。金属端子４９，５０はケース４０の外に突出し、リード線（図示せず）を介して回路基板１０上の電流制御回路（図示せず）に接続される。電流制御回路は、電極４３，４４間に水を介して所定の交番電流を調整可能な時間で流すものである。また、金属端子４９，５０部からの漏水を防止するため、Ｏリングパッキン５１を金属端子４９，５０に挿入し、金属イオン溶出ユニット３９にＯリング押さえ５２を超音波溶着している。Ｏリング押さえ５２は、箱状の囲いリブから成り、金属イオン溶出ユニット室２２内に結露が発生しても金属端子４９，５０間に距離を確保することができることので、これら金属端子４９，５０の絶縁劣化等を防ぐことができる。
【００４５】
水道水を給水継手３３から銀イオン溶出ユニット３９に供給すると、図２（ｄ）の矢印Ｆで示すように、ケース４０の内部には電極４３，４４の長手方向と平行に水が流れる。このとき、スイッチング回路（図示せず）がオンされ、電流制御回路（図示せず）によって電極４３，４４間を流れる水（湯）に、水の導電率に合わせて定量電流を流すと、電極の陽極側から銀イオンが溶出する。これにより、銀イオン水（湯）をシャワーヘッドから供給することができる。銀イオンの溶出量は、銀イオン濃度切換えボタン３０で選択切換え可能であり、電流制御回路の電流発生の時間や電流量を変えること等により銀イオンの溶出量を変化させ、これにより使用者は所望する濃度での銀イオン水（湯）を授受でき、快適な金属イオン水発生シャワー器を提供することができる。
【００４６】
次に、上記金属イオン水発生シャワー器を浴室の壁面に壁掛けで使用するときの使用形態について説明する。まず、本体１を縦にして壁掛けする場合について説明する。浴室の壁面には、あらかじめ図６のような縦フックプレート（第２のプレート）５３が取り付けられている。すなわち、図６に示すように、縦フックプレート５３は、図示しないねじを四隅のねじ穴５３ａを通して浴室の壁面にねじ込まれて取り付けられる。そして、本体１を保持し、縦フックプレート５３に設けられたフック５４を各壁掛けプレート１９の懸架穴１９ｄより凹部２０に挿入する。このまま本体１を保持していた力を抜くと、本体１は自重で落下しようとするが、フック５４が凹部２０の係止壁２０ａに引っかかるため落下することはなく、本体１を縦型の配置で浴室の壁面に壁掛けで設置することができる。
【００４７】
次に、本体１を横にして壁掛けする場合について説明する。浴室の壁面には、あらかじめ図７のような横フックプレート（第２のプレート）５５が取り付けられている。すなわち、図７に示すように、横フックプレート５５は、図示しないねじを四隅のねじ穴５５ａを通して浴室の壁面にねじ込まれて取り付けられる。そして、本体１を保持し、横フックプレート５３に設けられたフック５６を各壁掛けプレート１９の懸架穴１９ｄより凹部２０に挿入する。このまま本体１を保持していた力を抜くと、本体１は自重で落下しようとするが、フック５６が凹部２０の係止壁２０ａに引っかかるため落下することはなく、本体１を横型の配置で浴室の壁面に壁掛けで設置することができる。
【００４８】
金属イオン水発生シャワー器１００は、高温多湿となる浴室の壁面に設置して使用することを想定しているので、金属イオン溶出ユニット３９内を流れる水と金属イオン溶出ユニット室２２内の温度との温度差により、金属イオン溶出ユニット３９の表面全体に結露し、端子接続部などが絶縁劣化するおそれがある。ところが、上述の通り蓋２３にスリット穴２３ｃや切り欠き穴２３ｄを設けているため、本体１を縦にして設置する場合は金属イオン溶出ユニット３９に結露して金属イオン溶出ユニット室２２に落下した水滴を本体１の下端に位置するスリット穴２３ｃから排水することができるとともに、浴室内の湯気がスリット穴２３ｃから金属イオン溶出ユニット室２２内に侵入しても本体１の側面に位置する切り欠き穴２３ｄを通過して外部に逃がすことができる。また、本体１を横にして設置する場合は金属イオン溶出ユニット３９に結露して金属イオン溶出ユニット室２２に落下した水滴を本体１の下端に位置する一方の切り欠き穴２３ｄから排水することができるとともに、浴室内の湯気が該切り欠き穴２３ｄから金属イオン溶出ユニット室２２内に侵入しても本体１の側面に位置するスリット穴２３ｃや本体１の上端に位置する他方の切り欠き穴２３ｄを通過して外部に逃がすことができる。従って、金属端子接続部などの絶縁劣化を効果的に防ぐことができる。
【産業上の利用可能性】
【００４９】
本発明の金属イオン水発生シャワー器は、夏場の体臭をカットし、清潔に保つためのエチケット用品として利用でき、快適な生活を支援する商品としても価値が高い。
【図面の簡単な説明】
【００５０】
【図１】は、本発明に係る金属イオン水発生シャワー器の一部分を分解して示す外観斜視図である。
【図２】は、その金属イオン水発生シャワー器の側断面図（ａ）、ｘ−ｘ線断面図（ｂ）、ｙ−ｙ線断面図（ｃ）、ｚ−ｚ線断面図（ｄ）及びｗ−ｗ線断面図（ｅ）である。
【図３】は、後ケースの一部を切断して示す斜視図である。
【図４】は、壁掛けプレートの一例を示す平面図である。
【図５】は、壁掛けプレートの他の例を示す平面図である。
【図６】は、金属イオン水発生シャワー器を縦に壁掛けする状態を示す斜視図である。
【図７】は、金属イオン水発生シャワー器を横に壁掛けする状態を示す斜視図である。
【図８】は、銀イオンの抗菌メカニズムを示す模式図である。
【図９】は、従来の銀イオン水発生器の一例の斜視図である。
【図１０】は、その銀イオン水発生器の銀イオン溶出ユニットの断面図である。
【図１１】は、従来の金属イオン水発生シャワー器の外観斜視図である。
【図１２】は、上記従来の金属イオン水発生シャワー器の本体の装着手段の一例を示す模式的な斜視図である。
【符号の説明】
【００５１】
１００  金属イオン水発生シャワー器
１    本体
２    前パネル
３    後ケース
４    電池
５    電池室
６    蓋
８    シール部材
１１  電装室
１４  溝
１５  シール部材
１９  壁掛けプレート（第１プレート）
２２  金属イオン溶出ユニット室
２３  蓋
３９  銀イオン溶出ユニット
３３  給水継手
３４  排水継手
３５  フィルター
５３  縦フックプレート（第２プレート）
５５  横フックプレート（第２プレート）
【図１】
2006055459.tif 000003
【図２】
2006055459.tif 000004
【図３】
2006055459.tif 000005
【図４】
2006055459.tif 000006
【図５】
2006055459.tif 000007
【図６】
2006055459.tif 000008
【図７】
2006055459.tif 000009
【図８】
2006055459.tif 000010
【図９】
2006055459.tif 000011
【図１０】
2006055459.tif 000012
【図１１】
2006055459.tif 000013
【図１２】
2006055459.tif 000014